(57)【特許請求の範囲】
【請求項１】
それぞれ回路基板を有する複数の機構ユニットを装置に実装し、各機構ユニットの基板間を電気的に接続する基板接続構造において、
一方の機構ユニットに、基板を水平移動可能に支持するレールと、
前記レールに支持される基板を移動させる挿抜レバーとを備え、
前記挿抜レバーは、支点を中心に回転可能で、この回転動作を基板の水平方向の移動に変換する機構を備え、
前記基板には、挿抜レバーによる該基板の移動方向に沿って挿抜できる方向でコネクタを取り付け、他方の機構ユニットには、前記一方の機構ユニットの基板のコネクタと対応する位置に、コネクタを固定し、
一方の機構ユニットと他方の機構ユニットを位置決めした後、前記挿抜レバーを回転させて一方の機構側の基板を移動させて、該基板のコネクタを他方の機構ユニットのコネクタに接続した後、このコネクタ同士を接続させた位置の前記挿抜レバーに接触させた位置決め部材を、他方の機構ユニットもしくは他方の機構ユニットが固定された装置の基部に取り付け、２回目以降に一方の機構ユニットを取り付ける場合は、該一方の機構ユニットの移動で前記位置決め部材に挿抜レバーを突き当てて、該挿抜レバーを一方の機構ユニットの移動で回転させて、コネクタ同士を接続させることを特徴とする基板接続構造。
【請求項２】
それぞれ回路基板を有する複数の機構ユニットを装置に実装し、各機構ユニットの基板間を電気的に接続する基板接続方法において、
一方の機構ユニットに、基板を水平移動可能に支持するレールと、
前記レールに支持される基板を移動させる挿抜レバーとを備え、
前記挿抜レバーは、支点を中心に回転可能で、この回転動作を基板の水平方向の移動に変換する機構を備え、
前記基板には、挿抜レバーによる該基板の移動方向に沿って挿抜できる方向でコネクタを取り付け、
他方の機構ユニットには、前記一方の機構ユニットの基板のコネクタと対応する位置に、コネクタを固定し、
一方の機構ユニットと他方の機構ユニットを位置決めした後、前記挿抜レバーを回転させて一方の機構側の基板を移動させて、該基板のコネクタを他方の機構ユニットのコネクタに接続した後、このコネクタ同士を接続させた位置の前記挿抜レバーに接触させた位置決め部材を、他方の機構ユニットもしくは他方の機構ユニットが固定された装置の基部に取り付け、２回目以降に一方の機構ユニットを取り付ける場合は、該一方の機構ユニットの移動で前記位置決め部材に挿抜レバーを突き当てて、該挿抜レバーを一方の機構ユニットの移動で回転させて、コネクタ同士を接続させることを特徴とする基板接続方法。
【発明の詳細な説明】
【０００１】
【発明の属する技術分野】
本発明は、複数の機構ユニットを実装して構成される装置で、各機構ユニット間を電気的に接続するための基板接続構造に関するものである。
【０００２】
【従来の技術】
複数の機構ユニットを実装して構成される装置の一例として、金融機関等で用いられる通帳伝票プリンタがある。
通帳伝票プリンタを、複数の機構ユニットの組み合わせで構成する場合、通帳や伝票を取り込む機能を持つインサータユニットと、印字を行う印字ユニットと、通帳のページめくりを行うオートターンページ（ＡＴＰ）ユニット等から構成する。
【０００３】
各ユニットには、モータ、センサ等の電気部品が実装され、これら電気部品を制御するために、各ユニットには、基板が実装してある。
そして、各ユニットの基板間を電気的に接続するため、従来は、各機構ユニットを実装した後、各機構ユニット間をケーブルで接続していた。
【０００４】
【発明が解決しようとする課題】
しかしながら、各機構ユニット間をケーブルで接続する従来の方式では、各機構ユニットが高集積化されてくると、接続するケーブルの本数が増え、作業性が低下するとともに、ケーブルの接続を忘れ、結果として、装置が作動しない等の障害が発生する可能性があった。
【０００５】
【課題を解決するための手段】
上述した課題を解決するため、本発明は、それぞれ回路基板を有する複数の機構ユニットを装置に実装し、各機構ユニットの基板間を電気的に接続する基板接続構造において、
一方の機構ユニットに、基板を水平移動可能に支持するレールと、前記レールに支持される基板を移動させる挿抜レバーとを備え、前記挿抜レバーは、支点を中心に回転可能で、この回転動作を基板の水平方向の移動に変換する機構を備え、前記基板には、挿抜レバーによる該基板の移動方向に沿って挿抜できる方向でコネクタを取り付け、他方の機構ユニットには、前記一方の機構ユニットの基板のコネクタと対応する位置に、コネクタを固定し、一方の機構ユニットと他方の機構ユニットを位置決めした後、前記挿抜レバーを回転させて一方の機構側の基板を移動させて、該基板のコネクタを他方の機構ユニットのコネクタに接続した後、このコネクタ同士を接続させた位置の前記挿抜レバーに接触させた位置決め部材を、他方の機構ユニットもしくは他方の機構ユニットが固定された装置の基部に取り付け、２回目以降に一方の機構ユニットを取り付ける場合は、該一方の機構ユニットの移動で前記位置決め部材に挿抜レバーを突き当てて、該挿抜レバーを一方の機構ユニットの移動で回転させて、コネクタ同士を接続させることを特徴とする。
【０００６】
さらに、本発明は、それぞれ回路基板を有する複数の機構ユニットを装置に実装し、各機構ユニットの基板間を電気的に接続する基板接続方法において、一方の機構ユニットに、基板を水平移動可能に支持するレールと、前記レールに支持される基板を移動させる挿抜レバーとを備え、前記挿抜レバーは、支点を中心に回転可能で、この回転動作を基板の水平方向の移動に変換する機構を備え、前記基板には、挿抜レバーによる該基板の移動方向に沿って挿抜できる方向でコネクタを取り付け、他方の機構ユニットには、前記一方の機構ユニットの基板のコネクタと対応する位置に、コネクタを固定し、一方の機構ユニットと他方の機構ユニットを位置決めした後、前記挿抜レバーを回転させて一方の機構側の基板を移動させて、該基板のコネクタを他方の機構ユニットのコネクタに接続した後、このコネクタ同士を接続させた位置の前記挿抜レバーに接触させた位置決め部材を、他方の機構ユニットもしくは他方の機構ユニットが固定された装置の基部に取り付け、２回目以降に一方の機構ユニットを取り付ける場合は、該一方の機構ユニットの移動で前記位置決め部材に挿抜レバーを突き当てて、該挿抜レバーを一方の機構ユニットの移動で回転させて、コネクタ同士を接続させることを特徴とする。
【０００７】
【発明の実施の形態】
図１は、本発明の基板接続構造の第１の実施の形態を示す説明図である。本実施の形態では、機構ユニットとして、通帳伝票プリンタを構成するインサータユニットを例に説明し、図１（ａ）は通帳伝票プリンタのインサータユニットの背面図、図１（ｂ）は通帳伝票プリンタのインサータユニットの底面図である。
【０００８】
１はインサータユニットのフレームで、このフレーム１に、媒体を搬送するためのローラ、ローラを駆動するモータ、媒体の位置を検知するセンサ等が取り付けられている。
２はモータやセンサ等を制御する回路が実装された基板である。
３はフレーム１に設けたレールで、前記基板２を水平移動可能に支持する。このレール３は、断面形状がコの字状で、コの字状の溝部で基板２を支持するもので、基板２の左右両端を支持できるように、フレーム１の底部の左右両端に設けられる。
【０００９】
４は前記基板２に取り付けたコネクタで、前記レール３による基板２の移動方向に沿って挿抜可能な向きで取り付けられる。
５はフレーム１に取り付けた挿抜レバーである。この挿抜レバー５は、基板２の移動方向に沿った面と直交する軸５ａを支点に回転可能で、挿抜レバー５の一方の端部５ｂが基板２の側端部に設けた切り欠き２ａに入り込み、他方の端部５ｃに力を加えて軸５ａを支点に回転させることで、該挿抜レバー５の回転動作を、基板２の水平方向の直線動作に変換して、該基板２を移動可能としている。そして、基板２の左右両側から力を加えて該基板２を移動できるように、挿抜レバー５は、フレーム１の左右両側に取り付けてある。
【００１０】
６はインサータユニットの媒体搬送路、７はフレーム１の背面に設けたスタッドで、このスタッド７により、後述する印字ユニットとインサータユニットの位置決めを行う。
図２はインサータユニットと接続される印字ユニットの正面図である。
なお、通帳伝票プリンタにインサータユニットと印字ユニットを実装すると、図１（ａ）で説明したインサータユニットの背面と、この図３に示す印字ユニットの正面が接続されるものである。
【００１１】
８は印字ユニットのフレームで、このフレーム８に、媒体を搬送するためのローラ、ローラを駆動するモータ、媒体の位置を検知するセンサ等が取り付けられている。
９はモータやセンサ等を制御する回路が実装された基板で、この基板９は、フレーム８にネジ止め等で固定されている。
【００１２】
１０は基板９に取り付けられたコネクタで、通帳伝票プリンタにインサータユニットと印字ユニットを実装すると、このコネクタ１０とインサータユニット側のコネクタ４の位置が合うような位置にコネクタ１０は固定されている。
１１は印字ユニットの媒体搬送路、１２はフレーム８の正面に設けたスタッド受け穴で、このスタッド受け穴１２にインサータユニットのスタッド７が入ると、インサータユニットの媒体搬送路６と印字ユニットの媒体搬送路１１の位置が合うようにしてある。
【００１３】
次に、通帳伝票プリンタの全体の構成の概略を説明する。図３は通帳伝票プリンタの概略構成図である。
１４は通帳伝票プリンタ内の正面側に実装されるインサータユニットである。このインサータユニット１４は、オペレータによる通帳や伝票等の媒体のセットを受け、セットされた媒体を取り込んだり、処理の終了した媒体を排出する機能等を備えるもので、上述したフレーム１に、媒体を搬送する搬送フィードローラ１５ａ、前記搬送フィードローラ１５ａに媒体を押し付ける搬送プレッシャローラ１５ｂ、媒体を基準面に突き当てるための搬送を行う幅寄せフィードローラ１６ａ、前記幅寄せフィードローラ１６ａに媒体を押し付ける幅寄せプレッシャローラ１６ｂ、媒体搬送路６を構成するガイド面６ａ、媒体の搬送経路を切り換えるブレード１７、図示しないが、搬送フィードローラ１５ａ等のローラを駆動するモータ、媒体の位置を検知するセンサ、磁気ヘッド等を取り付けて構成したものである。
【００１４】
前記基板２は、インサータユニット１４において、その底部の背面側に移動可能に備えられるものである。
１８は前記インサータユニット１４に続いて該インサータユニット１４の後ろ側に実装される印字ユニットである。この印字ユニット１８は、媒体への印字、通帳に印刷されたページマークの読み取り、および印字のための印字済行の読み取り等の機能を備えるもので、上述したフレーム８に、媒体を搬送する搬送フィードローラ１９、媒体搬送路１１を構成するガイド面１１ａ、印字ヘッド２０ａ、ページマークセンサ２０ｂ、プラテン２１、図示しないが、搬送フィードローラ１９を駆動するモータ、媒体の位置を検知するセンサ、プラテン駆動用のモータ等を取り付けて構成したものである。
【００１５】
前記基板９は、印字ユニット１８において、その底部に固定されるものである。そして、後述する動作により、インサータユニット１４の基板２と印字ユニット１８の基板９が電気的に接続されるものである。
通帳伝票プリンタにインサータユニット１４と印字ユニット１８を実装すると、インサータユニット１４の媒体搬送路６と印字ユニット１８の媒体搬送路１１が繋がり、インサータユニット１４と印字ユニット１８の間で媒体のやり取りが行われる。この媒体搬送路６と媒体搬送路１１の接続部で媒体が引っ掛かる等の障害が発生しないように、インサータユニット１４のフレーム１に設けたスタッド７と印字ユニット１８のフレーム８に設けたスタッド受け穴１２により、インサータユニット１４と印字ユニット１８の位置決めを行っている。
【００１６】
２２は前記印字ユニット１８に続いて該印字ユニット１８の後ろ側に実装されるＡＴＰユニットである、このＡＴＰユニット２２は、通帳のページめくりを行う機能を有するもので、媒体を搬送する搬送フィードローラ２３、媒体搬送路を構成するガイド面２３ａ、ページめくりを行うめくりローラ２４、図示しないが、搬送フィードローラ２３等のローラを駆動するモータ、媒体の位置を検知するセンサ等を備える。
【００１７】
図４は第１の実施の形態の動作を示す説明図で、以下に基板接続動作を説明する。なお、図４は通帳伝票プリンタを底面側からみた図である。
まず、通帳伝票プリンタの筐体を構成する図示しないベースカバーに、図３で説明した印字ユニット１８をネジ止め等で固定する。印字ユニット１８は、フレーム８に基板９がネジ止め等で固定されているので、これにより、印字ユニット１８側の基板９のコネクタ１０は位置が固定される。
【００１８】
次に、インサータユニット１４を、通帳伝票プリンタの筐体を構成する図示しないベースカバーに取り付ける。このとき、インサータユニット１４のフレームに設けたスタッド７を、印字ユニット１８のフレーム８に設けたスタッド受け穴１２に入れて、インサータユニット１４を通帳伝票プリンタの筐体を構成する図示しないベースカバーにネジ止め等で固定する。このように、インサータユニット１４側のスタッド７を印字ユニット１８側のスタッド受け穴１２に入れた状態で両者の位置を固定することで、インサータユニット１４の媒体搬送路６と印字ユニット１８の媒体搬送路１１の位置が合った状態となる。この状態では、図４（ａ）に示すように、インサータユニット１４の基板２のコネクタ４は印字ユニット１８の基板９のコネクタ１０に接続していない。
【００１９】
次に、左右の挿抜レバー５を、他方の端部５ｃに力を加えて軸５ａを支点に矢印Ａ方向に回転させることで、該挿抜レバー５の一方の端部５ｂで基板２の切り欠き２ａを押し、基板２を矢印Ｂ方向に移動させる。これにより、図４（ｂ）に示すように、基板２のコネクタ４が基板９のコネクタ１０に嵌まり、基板２と基板９が電気的に接続されて、インサータユニット１４と印字ユニット１８が同期して制御可能となる。
【００２０】
上述したように、インサータユニット１４と印字ユニット１８は、スタッド７をスタッド受け穴１２に入れることで、位置決めをしているが、インサータユニット１４の媒体搬送路６と印字ユニット１８の媒体搬送路１１の位置を合わせるため、このスタッド７とスタッド受け穴１２による位置決め精度は、高いものとなっている。これに対して、基板２にコネクタ４を取り付ける場合、および基板９にコネクタ１０を取り付ける場合、それぞれコネクタのリードを基板のスルーホールに挿入して半田付けすることで取り付けているが、この基板に対するコネクタの取り付け位置精度、およびフレームに対する基板の取り付け位置精度を高くすれば、インサータユニット１４側の基板２も固定として、スタッド７をスタッド受け穴１２に入れる行程で、コネクタ同士を接続することも可能となる。しかしながら、基板に対するコネクタの取り付け位置精度、およびフレームに対する基板の取り付け位置精度を高くするには、製造コストが高くなってしまう。
【００２１】
このため、基板に対するコネクタの取り付け位置精度およびフレームに対する基板の取り付け位置精度はあまり高くできない。そこで、インサータユニット１４の基板２は移動可能とし、挿抜レバー５を設けてこの挿抜レバー５で基板２を移動させてコネクタ同士を接続することとすれば、左右の挿抜レバー５の回転量を調整しながら基板２を移動させて行くことで、コネクタ４の位置がコネクタ１０の位置に合うように調整しながらコネクタ同士を接続でき、基板に対するコネクタの取り付け位置精度およびフレームに対する基板の取り付け位置精度を高くする必要がなくなり、製造コストを低減できるものである。
【００２２】
なお、図４（ｂ）に示す状態から、コネクタ同士の接続を外すには、左右の挿抜レバー５を、他方の端部５ｃに力を加えて軸５ａを支点に矢印Ｃ方向に回転させることで、該挿抜レバー５の一方の端部５ｂで基板２の切り欠き２ａを押し、基板２を矢印Ｄ方向に移動させることで、コネクタ４をコネクタ１０から抜き取ることができる。
【００２３】
図５は本発明の基板接続構造の第２の実施の形態を示す説明図である。
なお、インサータユニット１４と印字ユニット１８の構造は、図１〜図３で説明したものと同じであるので、同じ番号を付して説明する。
２５は位置決め金具である。この位置決め金具２５は、断面形状がＬ字状の金具で、Ｌ字状の底面に穴２５ａが開けられ、この穴２５ａにネジを通して、通帳伝票プリンタの筐体を構成する図示しないベースカバーに固定される。また、Ｌ字状の側面は、挿抜レバー５の他方の端部５ｃに接触して、該挿抜レバー５の位置を決めるものであり、側面の角度は、穴２５ａを中心に位置決め金具２５が回転することで、可変となっている。
【００２４】
以下に、図４および図５を用いて第２の実施の形態の動作を説明する。
取り付け金具２５を取り付けるまでは、第１の実施の形態の動作と同じである。
まず、通帳伝票プリンタの筐体を構成する図示しないベースカバーに、図３で説明した印字ユニット１８をネジ止め等で固定する。印字ユニット１８は、フレーム８に基板９がネジ止め等で固定されているので、これにより、印字ユニット１８側の基板９のコネクタ１０は位置が固定される。
【００２５】
次に、インサータユニット１４を、通帳伝票プリンタの筐体を構成する図示しないベースカバーに取り付ける。このとき、インサータユニット１４のフレームに設けたスタッド７を、印字ユニット１８のフレーム８に設けたスタッド受け穴１２に入れて、インサータユニット１４を通帳伝票プリンタの筐体を構成する図示しないベースカバーにネジ止め等で固定する。このように、インサータユニット１４側のスタッド７を印字ユニット１８側のスタッド受け穴１２に入れた状態で両者の位置を固定することで、インサータユニット１４の媒体搬送路６と印字ユニット１８の媒体搬送路１１の位置が合った状態となる。この状態では、図４（ａ）に示すように、インサータユニット１４の基板２のコネクタ４は印字ユニット１８の基板９のコネクタ１０に接続していない。
【００２６】
次に、左右の挿抜レバー５を、他方の端部５ｃに力を加えて軸５ａを支点に矢印Ａ方向に回転させることで、該挿抜レバー５の一方の端部５ｂで基板２の切り欠き２ａを押し、基板２を矢印Ｂ方向に移動させる。これにより、図４（ｂ）に示すように、基板２のコネクタ４が基板９のコネクタ１０に嵌まり、基板２と基板９が電気的に接続されて、インサータユニット１４と印字ユニット１８が同期して制御可能となる。
【００２７】
次に、コネクタ同士を接続させた状態にある左右の挿抜レバー５に対して、図５（ｂ）に示すように、位置決め金具２５を、その側面が該挿抜レバー５の他方の端部５ｃに接触するように角度を決めて、図示しないネジを穴２５ａに通して、通帳伝票プリンタの筐体を構成する図示しないベースカバーに固定する。この状態では、挿抜レバー５を図４（ｂ）に示す矢印Ｃ方向に回転させることはできないので、誤って挿抜レバー５を操作して、コネクタ同士が外れてしまうということを防止できる。
【００２８】
この状態から、保守等でインサータユニット１４を取り外す場合は、挿抜レバー５を操作することなく、該インサータユニット１４を通帳伝票プリンタの筐体を構成する図示しないベースカバーに固定しているネジ等を外した後、コネクタ同士の抜き取り方向にインサータユニット１４を引き抜く。これにより、スタッド７がスタッド受け穴１２から抜けるとともに、コネクタ４がコネクタ１０から抜け、インサータユニット１４を取り外すことができる。このとき、位置決め金具２５は、コネクタ同士を接続した状態の時の挿抜レバー５の位置に合わせて、通帳伝票プリンタの筐体を構成する図示しないベースカバーに残っている。
【００２９】
保守等が終了して、前記取り外したインサータユニット１４を取り付ける場合、コネクタ同士の挿入方向にインサータユニット１４を挿入して行く。このとき、スタッド７の位置が、スタッド受け穴１２の位置に合うように挿入して行く。すると、図５（ａ）に示すように、左右の挿抜レバー５の他方の端部５ｃが、それぞれ位置決め金具２５の側面に突き当たる。
【００３０】
この状態から、さらにインサータユニット１４を矢印Ｅ方向に挿入して行くと、左右の挿抜レバー５は、その他方の端部５ｃが、位置決め金具２５の側面に突き当たり、移動出来ないので、結果として、挿抜レバー５は軸５ａを支点に矢印Ａ方向に回転することになり、基板２は矢印Ｂ方向に移動する。
そして、インサータユニット１４を矢印Ｅ方向に移動させることでスタッド７がスタッド受け穴１２に入り、該インサータユニット１４の印字ユニット１８に対する位置決めがなされた段階では、それまでのインサータユニット１２の挿入過程で基板２が矢印Ｂ方向に移動することで、図５（ｂ）に示すようにコネクタ４がコネクタ１０に嵌まっており、最後にインサータユニット１４を通帳伝票プリンタの筐体を構成する図示しないベースカバーにネジ止め等で固定する。
【００３１】
第１の実施の形態で説明したように、基板に対するコネクタの取り付け位置精度およびフレームに対する基板の取り付け位置精度はあまり高くしていないが、第２の実施の形態では、インサータユニット１４の１回目の取り付け時、左右の挿抜レバー５の回転量を調整しながら基板２を移動させて行くことで、コネクタ４の位置がコネクタ１０の位置に合うように調整しながらコネクタ同士を接続した後、その時の挿抜レバー５の位置に合わせて位置決め金具２５を固定しておけば、基板２の基板１０に対する位置精度をこの位置決め金具２５で出しておくことができるので、同一インサータユニット１４の２回目以降の取り付け時は、挿抜レバー５を操作することなく、インサータユニット１４の取り外しだけで、コネクタ同士の接続が可能となる。
【００３２】
従来のように、各機構ユニット間をケーブルで接続する場合、コネクタの接続や取り外しが行いやすいように、ケーブルやコネクタを収容する空間を機構ユニットの側方や上方に設ける必要があった。これに対して、上述した第１の実施の形態および第２の実施の形態においては、コネクタを直接操作しないので、コネクタは各ユニット間の底部の空間に設けることができ、実装スペースの有効活用が図れるものである。
【００３３】
なお、第１の実施の形態および第２の実施の形態では、機構ユニットの例として、通帳伝票プリンタのインサータユニットと印字ユニットを例に説明したが、他の装置の機構ユニットにも適用できる。
【００３４】
【発明の効果】
以上説明したように、本発明は、それぞれ回路基板を有する複数の機構ユニットを装置に実装し、各機構ユニットの基板間を電気的に接続する基板接続構造において、一方の機構ユニットに、基板を水平移動可能に支持するレールと、前記レールに支持される基板を移動させる挿抜レバーとを備え、前記基板には、挿抜レバーによる該基板の移動方向に沿って挿抜できる方向でコネクタを取り付け、他方の機構ユニットには、前記一方の機構ユニットの基板のコネクタと対応する位置に、コネクタを固定したので、一方の機構ユニットと他方の機構ユニットを位置決めした後、挿抜レバーを操作すれば、コネクタ同士を接続できるので、機構ユニット間でケーブルによる接続が不要となり、作業性が向上する。
【００３５】
また、前記挿抜レバーの位置を固定する位置決め部材を、他方の機構ユニットもしくは他方の機構ユニットが固定された装置の基部に取り付けることで、誤って挿抜レバーを操作して、コネクタ同士を外してしまうことを防止できる。
さらに、本発明は、それぞれ回路基板を有する複数の機構ユニットを装置に実装し、各機構ユニットの基板間を電気的に接続する基板接続方法において、一方の機構ユニットに、基板を水平移動可能に支持するレールと、前記レールに支持される基板を移動させる挿抜レバーとを備え、前記挿抜レバーは、支点を中心に回転可能で、この回転動作を基板の水平方向の移動に変換する機構を備え、前記基板には、挿抜レバーによる該基板の移動方向に沿って挿抜できる方向でコネクタを取り付け、他方の機構ユニットには、前記一方の機構ユニットの基板のコネクタと対応する位置に、コネクタを固定し、一方の機構ユニットと他方の機構ユニットを位置決めした後、前記挿抜レバーを回転させて一方の機構側の基板を移動させて、該基板のコネクタを他方の機構ユニットのコネクタに接続した後、このコネクタ同士を接続させた位置の前記挿抜レバーに接触させた位置決め部材を、他方の機構ユニットもしくは他方の機構ユニットが固定された装置の基部に取り付け、２回目以降に一方の機構ユニットを取り付ける場合は、該一方の機構ユニットの移動で前記位置決め部材に挿抜レバーを突き当てて、該挿抜レバーを一方の機構ユニットの移動で回転させて、コネクタ同士を接続させることで、一方の機構ユニットを取り付ける場合、２回目以降は、挿抜レバーを操作することなく、コネクタ同士の位置を合わせて該コネクタ同士を接続できるので、作業性がより向上し、コネクタ同士の接続を忘れるということを防止できる。
【図面の簡単な説明】
【図１】本発明の基板接続構造の第１の実施の形態を示す説明図
【図２】印字ユニットの正面図
【図３】通帳伝票プリンタの概略構成図
【図４】第１の実施の形態の動作を示す説明図
【図５】本発明の基板接続構造の第２の実施の形態を示す説明図
【符号の説明】
１  フレーム
２  基板
３  レール
４  コネクタ
５  挿抜レバー
【図１】
0004310835.tif 000002
【図２】
0004310835.tif 000003
【図３】
0004310835.tif 000004
【図４】
0004310835.tif 000005
【図５】
0004310835.tif 000006